(57)【要約】【課題】バイパス回路の異常検出を効率的に行い、電力系統の保護の信頼性を向上させる。【解決手段】本発明の一態様において、デジタルリレー装置１３は、デジタルリレー１４Ａと、デジタルリレー１４Ａからの信号ｓ２ａ，ｓ３ａに基づいてデジタルリレー１４Ａをバイパスするバイパス手段１５Ａと、デジタルリレー１４Ａと、デジタルリレー１４Ａからの信号ｓ２ｂ，ｓ３ｂに基づいてデジタルリレー１４Ｂをバイパスするバイパス手段１５Ｂと、バイパス手段１５Ａにおける信号ｓ２ａ，ｓ３ａの入力状態と、バイパス手段１５Ａによるデジタルリレー１４Ａのバイパス状態と、バイパス手段１５Ｂにおける信号ｓ２ｂ，ｓ３ｂの入力状態と、バイパス手段１５Ｂによるデジタルリレー１４Ｂのバイパス状態とに基づいて、バイパス手段１５Ａ，１５Ｂの異常検出を行い、デジタルリレー１４Ａの内部に備えられるバイパス異常検出手段１６ａとを具備する。【選択図】      図１
2006050813.tif 000002
【特許請求の範囲】
【請求項１】
電力系統の異常検出を行う第１デジタルリレーと、
前記第１デジタルリレーから入力した第１信号に基づいて前記第１デジタルリレーをバイパスする第１バイパス手段と、
前記電力系統の異常検出を行う第２デジタルリレーと、
前記第２デジタルリレーから入力した第２信号に基づいて前記第２デジタルリレーをバイパスする第２バイパス手段と、
前記第１バイパス手段における前記第１信号の入力状態と、前記第１バイパス手段による前記第１デジタルリレーのバイパス状態と、前記第２バイパス手段における前記第２信号の入力状態と、前記第２バイパス手段による前記第２デジタルリレーのバイパス状態とに基づいて、前記第１バイパス手段と前記第２バイパス手段との異常検出を行い、前記第１デジタルリレーの内部に備えられるバイパス異常検出手段と
を具備するデジタルリレー装置。
【請求項２】
請求項１記載のデジタルリレー装置において、
前記バイパス異常検出手段は、前記第１信号の入力状態と前記第１デジタルリレーのバイパス状態との整合性と前記第２信号の入力状態と前記第２デジタルリレーのバイパス状態との整合性とに基づいて、前記第１バイパス手段と前記第２バイパス手段との異常検出を行うことを特徴とするデジタルリレー装置。
【請求項３】
請求項１又は請求項２記載のデジタルリレー装置において、
前記バイパス異常検出手段は、前記第１デジタルリレーと前記第２デジタルリレーの双方の内部に備えられる
ことを特徴とするデジタルリレー装置。
【請求項４】
請求項１乃至請求項３のいずれか１項に記載のデジタルリレー装置において、
前記第１信号は、前記第１バイパス手段により前記第１デジタルリレーをバイパスする旨を表す第１バイパス指令信号と前記第１デジタルリレーの異常が検出された旨を示す第１デジタルリレー異常信号とのうちの少なくとも一方であり、
前記第２信号は、前記第２バイパス手段により前記第２デジタルリレーをバイパスする旨を表す第２バイパス指令信号と前記第２デジタルリレーの異常が検出された旨を示す第２デジタルリレー異常信号とのうちの少なくとも一方である
ことを特徴とするデジタルリレー装置。
【発明の詳細な説明】
【技術分野】
【０００１】
本発明は、電力系統の保護に用いられるデジタルリレー装置に関する。
【背景技術】
【０００２】
電力系統の保護の信頼性を確保する観点から、デジタルリレーとバイパス回路との組み合わせが多重化される場合がある。
【０００３】
図４は、従来のデジタルリレー装置の一例を示す回路図である。
【０００４】
電力系統において、系統上流側Ａ１と系統下流側Ａ２との間には、遮断器１が備えられている。
【０００５】
デジタルリレー装置２は、デジタルリレー３Ａ，３Ｂ、バイパス回路４Ａ，４Ｂ、スイッチ５Ａ，５Ｂ、トリップ指令電源Ｐ１を具備する。
【０００６】
デジタルリレー３Ａは、系統上流側Ａ１と系統下流側Ａ２との間における電流Ｉ及び電圧Ｖをそれぞれ電流計及び電圧計から入力する。また、デジタルリレー３Ａは、電流Ｉ及び電圧Ｖに基づいて、電力系統の異常検出（事故検出）を行う。デジタルリレー３Ａは、電力系統の異常を検出した場合、トリップ信号ｓ１ａをスイッチ５Ａに出力する。
【０００７】
デジタルリレー３Ａをバイパスさせる場合、デジタルリレー３Ａは、バイパス指令信号ｓ２ａをバイパス回路４Ａに出力する。
【０００８】
デジタルリレー３Ａの異常が検出された場合、デジタルリレー３Ａは、デジタルリレー異常信号ｓ３ａをバイパス回路４Ａに出力する。
【０００９】
デジタルリレー３Ｂは、電力系統の異常を検出した場合、トリップ信号ｓ１ｂをスイッチ５Ｂに出力し、デジタルリレー３Ｂをバイパスさせる場合に、バイパス指令信号ｓ２ｂをバイパス回路４Ｂに出力し、デジタルリレー３Ｂの異常が検出された場合、デジタルリレー異常信号ｓ３ｂをバイパス回路４Ｂに出力する特徴を持ち、他の機能については、デジタルリレー３Ａと同様である。
【００１０】
スイッチ５Ａとスイッチ５Ｂとは、直列に接続されている。それぞれスイッチ５Ａ，５Ｂは、トリップ信号ｓ１ａ，ｓ１ｂを入力すると、ＯＮ状態になり、他の場合にＯＦＦ状態になる。
【００１１】
したがって、トリップ信号ｓ１ａ，ｓ１ｂによってスイッチ５Ａとスイッチ５Ｂの双方がＯＮ状態となった場合に、トリップ指令電源Ｐ１から遮断器１にトリップ指令信号が出力される。すなわち、デジタルリレー３Ａ，３Ｂの外部において、ハード的にトリップ信号ｓ１ａ，ｓ１ｂの論理積（ＡＮＤ）が求められ、デジタルリレー３Ａ，３Ｂの双方からトリップ信号ｓ１ａ，ｓ１ｂが出力されている場合に、遮断器１はトリップされる。
【００１２】
遮断器１は、トリップ指令信号を入力すると、電力系統の遮断動作を実行する。この結果、デジタルリレー３Ａ，３Ｂの双方で異常が検出された場合に、遮断器１が遮断状態となり、電力系統の保護動作が実行される。
【００１３】
バイパス回路４Ａは、電源Ｐ２ａ、電源Ｐ３ａ、スイッチ６ａ〜１０ａ、スイッチ制御部１１ａ，１２ａを具備する。
【００１４】
同様に、バイパス回路４Ｂは、電源Ｐ２ｂ、電源Ｐ３ｂ、スイッチ６ｂ〜１０ｂ、スイッチ制御部１１ｂ，１２ｂを具備する。
【００１５】
スイッチ６ａは、スイッチ５Ａと並列に備えられている。
【００１６】
スイッチ７ａは、バイパス指令信号ｓ２ａが入力された場合にＯＮ状態となり、他の場合にＯＦＦ状態となる。
【００１７】
スイッチ８ａは、デジタルリレー異常信号ｓ３ａが入力された場合にＯＮ状態となり、他の場合にＯＦＦ状態となる。
【００１８】
スイッチ７ａとスイッチ８ａとは、電源Ｐ２ａとスイッチ制御部１１ａとの間に、並列に備えられる。
【００１９】
スイッチ７ａとスイッチ８ａとのうち少なくとも一方がＯＮ状態となると、電源Ｐ２ａからの電流がスイッチ制御部１１ａに供給され、スイッチ制御部１１ａが動作する。
【００２０】
スイッチ制御部１１ａは、バイパス指令信号ｓ２ａとデジタルリレー異常信号ｓ３ａとのうち少なくとも一方が入力された場合にスイッチ９ａをＯＮ状態とし、他の場合にスイッチ９ａをＯＦＦ状態とする。
【００２１】
また、スイッチ制御部１１ａは、バイパス指令信号ｓ２ａとデジタルリレー異常信号ｓ３ａとのうち少なくとも一方が入力された場合にバイパス回路４Ｂのスイッチ１０ｂをＯＦＦ状態とし、他の場合にスイッチ１０ｂをＯＮ状態とする。
【００２２】
スイッチ９ａとスイッチ１０ａとは、電源Ｐ３ａとスイッチ制御部１２ａとの間に、直列に備えられる。
【００２３】
スイッチ９ａとスイッチ１０ａの双方がＯＮ状態となると、電源Ｐ３ａからの電流がスイッチ制御部１２ａに供給され、スイッチ制御部１２ａが動作する。
【００２４】
スイッチ制御部１２ａは、デジタルリレー３Ａからバイパス回路４Ａにバイパス指令信号ｓ２ａとデジタルリレー異常信号ｓ３ａとのうち少なくとも一方が出力されており、かつデジタルリレー３Ｂからバイパス回路４Ｂにバイパス指令信号ｓ２ｂとデジタルリレー異常信号ｓ３ｂのいずれも出力されていない場合に、スイッチ６ａをＯＮ状態とする。
【００２５】
スイッチ６ａがＯＮ状態となると、トリップ指令電源Ｐ１からの電流がスイッチ５ＡのＯＮ／ＯＦＦ状態に関係なく、スイッチ６ａ経由でスイッチ５Ｂまで供給される。したがって、デジタルリレー３Ａがバイパスされた状態となり、電力系統の保護動作からデジタルリレー３Ａが切り離され、デジタルリレー３Ｂのみで保護動作が実施される。
【００２６】
ここで、デジタルリレー３Ａからバイパス回路４Ａにバイパス指令信号ｓ２ａとデジタルリレー異常信号ｓ３ａとのうち少なくとも一方が出力されるとともに、デジタルリレー３Ｂからバイパス回路４Ｂにバイパス指令信号ｓ２ｂとデジタルリレー異常信号ｓ３ｂとのうち少なくとも一方が出力されたとする。
【００２７】
この場合、バイパス回路４Ａにおいて、スイッチ１０ａはＯＦＦ状態となり、スイッチ制御部１２ａにしたがってスイッチ６ａもＯＦＦ状態となり、バイパス回路４Ａによるデジタルリレー３Ａのバイパス状態が解除される。
【００２８】
また、バイパス回路４Ｂにおいて、スイッチ１０ｂはＯＦＦ状態となり、スイッチ制御部１２ｂにしたがってスイッチ６ｂもＯＦＦ状態となり、バイパス回路４Ｂによるデジタルリレー３Ａのバイパス状態が解除される。
【００２９】
この結果、バイパス状態となっていたデジタルリレー３Ａ，３Ｂの双方は、再び電力系統の保護動作に組み込まれる。
【００３０】
なお、デジタルリレー３Ｂ及びバイパス回路４Ｂの構成及び動作についても、上記デジタルリレー３Ａ及びバイパス回路４Ａの構成及び動作と同様であるため、説明を省略する。
【００３１】
以上のような従来のデジタルリレー装置２の動作の概要を説明する。
【００３２】
デジタルリレー３Ａ，３Ｂは、電力系統の電流Ｉ及び電圧Ｖに基づいて、系統の異常を検出した場合、それぞれトリップ信号ｓ１ａ，ｓ１ｂをスイッチ５Ａ，５Ｂに出力する。トリップ信号ｓ１ａ，ｓ１ｂの双方がデジタルリレー３Ａ，３Ｂからスイッチ５Ａ，５Ｂに出力された場合、デジタルリレー装置２は遮断器１を遮断状態とする。
【００３３】
デジタルリレー３Ａからバイパス回路４Ａに、バイパス指令信号ｓ２ａとデジタルリレー異常信号ｓ３ａのうち少なくとも一方が出力された場合、バイパス回路４Ａは、デジタルリレー３Ａをバイパスし、デジタルリレー３Ａを電力系統の保護動作から切り離す。その後、電力系統の保護動作は、もう一方のデジタルリレー３Ｂによって実施される。
【００３４】
デジタルリレー３Ｂからバイパス回路４Ｂに、バイパス指令信号ｓ２ｂとデジタルリレー異常信号ｓ３ｂのうち少なくとも一方が出力された場合も同様に、バイパス回路４Ｂは、デジタルリレー３Ｂをバイパスし、デジタルリレー３Ｂを電力系統の保護動作から切り離す。
【００３５】
デジタルリレー３Ａからバイパス回路４Ａにバイパス指令信号ｓ２ａとデジタルリレー異常信号ｓ３ａのうち少なくとも一方が出力され、かつデジタルリレー３Ｂからバイパス回路４Ｂにバイパス指令信号ｓ２ｂとデジタルリレー異常信号ｓ３ｂのうち少なくとも一方が出力された場合、双方のバイパス回路４Ａ，４Ｂは動作し、デジタルリレー３Ａ，３Ｂを電力系統の保護動作に復帰させる。
【００３６】
従来のデジタルリレー装置２において、バイパス回路４Ａ，４Ｂはハードウェアにより構成される。
【００３７】
特許文献１には、デジタルリレーを多重化し、デジタルリレーの一方が故障した場合であっても電力系統の故障を検出可能とするデジタルリレー装置が開示されている。
【特許文献１】特開平８−１４９６８２号公報
【発明の開示】
【発明が解決しようとする課題】
【００３８】
しかしながら、従来のデジタルリレー装置２においては、バイパス回路４Ａ，４Ｂが正常にバイパス機能を実行しているか否か検出されていない。
【００３９】
また、デジタルリレー３Ａからバイパス回路４Ａにバイパス指令信号ｓ２ａとデジタルリレー異常信号ｓ３ａのうち少なくとも一方が出力され、さらにデジタルリレー３Ｂからバイパス回路４Ｂにバイパス指令信号ｓ２ｂとデジタルリレー異常信号ｓ３ｂのうち少なくとも一方が出力された場合、デジタルリレー３Ａ，３Ｂが正常に復帰したか否かを監視していない。
【００４０】
したがって、バイパス回路４Ａ，４Ｂによるバイパス制御の異常検出が困難であり、バイパス回路４Ａ，４Ｂに異常が発生した場合に、デジタルリレー３Ａ，３Ｂのバイパス制御が正しく実行されない場合がある。
【００４１】
本発明は、以上のような実情に鑑みてなされたもので、バイパス回路の異常を検出し、電力系統を保護の信頼性を高めるデジタルリレー装置を提供することを目的とする。
【課題を解決するための手段】
【００４２】
上記課題は、電力系統の異常検出を行う第１デジタルリレーと、第１デジタルリレーから入力した第１信号に基づいて第１デジタルリレーをバイパスする第１バイパス手段と、電力系統の異常検出を行う第２デジタルリレーと、第２デジタルリレーから入力した第２信号に基づいて前記第２デジタルリレーをバイパスする第２バイパス手段と、第１バイパス手段における第１信号の入力状態と、第１バイパス手段による第１デジタルリレーのバイパス状態と、第２バイパス手段における第２信号の入力状態と、第２バイパス手段による第２デジタルリレーのバイパス状態とに基づいて、第１バイパス手段と第２バイパス手段との異常検出を行い、第１デジタルリレー手段の内部に備えられるバイパス異常検出手段とを具備するデジタルリレー装置により、解決される。
【発明の効果】
【００４３】
本発明により、バイパス回路の異常検出を行うことができ、電力系統の保護の信頼性を向上させることができる。
【発明を実施するための最良の形態】
【００４４】
以下、図面を参照しながら本発明の実施の形態について説明する。
【００４５】
本実施の形態では、バイパス回路に入力されたバイパス指令信号と、デジタルリレーがバイパス回路によってバイパスされた状態となっている旨を表すバイパス状態信号とをデジタルリレーに取り込み、デジタルリレーによりバイパス回路の異常検出を行うデジタルリレー装置について説明する。
【００４６】
図１は、本実施の形態に係るデジタルリレー装置の一例を示す回路図である。なお、上記図４と同一の部分については同一の符号を付して説明を省略する。
【００４７】
本実施の形態に係るデジタルリレー装置１３は、例えば電気鉄道の電力を供給する電鉄受変電システムに適用される。なお、デジタルリレー装置１３は、例えば変電所などその他の装置又は施設に適用されるとしてもよい。
【００４８】
デジタルリレー装置１３は、デジタルリレー１４Ａ，１４Ｂ、バイパス回路１５Ａ，１５Ｂ、スイッチ５Ａ，５Ｂ、トリップ指令電源Ｐ１を具備する。
【００４９】
デジタルリレー１４Ａは、バイパス異常検出部１６ａを具備する特徴を持ち、他の機能については上記図４のデジタルリレー３Ａと同様である。
【００５０】
以下においては、主に、デジタルリレー１４Ａとこのデジタルリレー１４Ａのバイパスを行うバイパス回路１５Ａとの構成及び動作について説明を行う。なお、デジタルリレー１４Ｂとこのデジタルリレー１４Ｂのバイパスを行うバイパス回路１５Ｂとの構成及び動作についても同様である。
【００５１】
また、以下においては、デジタルリレー１４Ａとバイパス回路１５Ａとの組み合わせを第１系とし、デジタルリレー１４Ｂとバイパス回路１５Ｂとの組み合わせを第２系として説明を行う。
【００５２】
バイパス異常検出部１６ａは、デジタルリレー１４Ａからのバイパス指令信号ｓ２ａをバイパス回路１５Ａが入力した場合に、その旨を示す第１系指令受付信号ｓ４ａをバイパス回路１５Ａから入力する。
【００５３】
バイパス異常検出部１６ａは、バイパス回路１５Ａによってデジタルリレー１４Ａがバイパスされた場合に、その旨を示す第１系バイパス状態信号ｓ５ａをバイパス回路１５Ａから入力する。
【００５４】
バイパス異常検出部１６ａは、デジタルリレー１４Ｂからのバイパス指令信号ｓ２ｂをバイパス回路１５Ｂが入力した場合に、その旨を示す第２系指令受付信号ｓ４ｂをバイパス回路１５Ｂから入力する。
【００５５】
バイパス異常検出部１６ａは、バイパス回路１５Ｂによってデジタルリレー１４Ｂがバイパスされた場合に、その旨を示す第２系バイパス状態信号ｓ５ｂをバイパス回路１５Ｂから入力する。
【００５６】
そして、バイパス異常検出部１６ａは、第１系指令受付信号ｓ４ａと第１系バイパス状態信号ｓ５ａとの間の整合性、及び第２系指令受付信号ｓ４ｂと第２系バイパス状態信号ｓ５ｂとの間の整合性とに基づいて、バイパス回路１５Ａ，１５Ｂの異常検出を行う。
【００５７】
例えば、バイパス異常検出部１６ａに第１系指令受付信号ｓ４ａと第２系指令受付信号ｓ４ｂの双方について「入力あり」の場合には、バイパス回路１５Ａ，１５Ｂの双方は、デジタルリレー１４Ａ，１４Ｂのバイパスを解除し、デジタルリレー１４Ａ，１４Ｂを復帰させる。
【００５８】
このため、バイパス異常検出部１６ａに第１系指令受付信号ｓ４ａと第２系指令受付信号ｓ４ｂの双方について「入力あり」の場合、バイパス異常検出部１６ａに第１系バイパス状態信号ｓ５ａと第２系バイパス状態信号ｓ５ｂの双方について「入力なし」であれば「正常」、第１系バイパス状態信号ｓ５ａと第２系バイパス状態信号ｓ５ｂの少なくとも一方について「入力あり」であれば「異常」と判断する。
【００５９】
また、バイパス異常検出部１６ａに第１系指令受付信号ｓ４ａと第２系指令受付信号ｓ４ｂの双方について「入力あり」でない場合には、第１系指令受付信号ｓ４ａと第１系バイパス状態信号ｓ５ａとの間で入力の有無の整合性があり第２系指令受付信号ｓ４ｂと第２系バイパス状態信号ｓ５ｂとの間で入力の有無の整合がある場合を「正常」、少なくとも一方の入力の有無について整合性がない場合を「異常」と判断する。
【００６０】
デジタルリレー１４Ａ，１４Ｂの外部において、ハード的にトリップ信号ｓ１ａ，ｓ１ｂの論理積（ＡＮＤ）が求められ、デジタルリレー１４Ａ，１４Ｂの双方からトリップ信号ｓ１ａ，ｓ１ｂが出力されている場合に、遮断器１はトリップされる。
【００６１】
バイパス回路１５Ａは、電源Ｐ２ａ、電源Ｐ４ａ、スイッチ６ａ〜１０ａ，１７ａ，１８ａ、スイッチ制御部（例えばリレーなど）１９ａ，２０ａを具備する。
【００６２】
同様に、バイパス回路１５Ｂは、電源Ｐ２ｂ、電源Ｐ４ｂ、スイッチ６ｂ〜１０ｂ，１７ｂ，１８ｂ、スイッチ制御部１９ｂ，２０ｂを具備する。
【００６３】
本実施の形態では、スイッチ７ａとスイッチ８ａとは、電源Ｐ２ａとスイッチ制御部１９ａとの間に、並列に備えられる。
【００６４】
スイッチ制御部１９ａは、バイパス指令信号ｓ２ａとデジタルリレー異常信号ｓ３ａとのうち少なくとも一方が入力された場合にスイッチ９ａをＯＮ状態とし、他の場合にスイッチ９ａをＯＦＦ状態とする。
【００６５】
また、スイッチ制御部１９ａは、バイパス指令信号ｓ２ａとデジタルリレー異常信号ｓ３ａとのうち少なくとも一方が入力された場合にバイパス回路１５Ｂのスイッチ１０ｂをＯＦＦ状態とし、他の場合にスイッチ１０ｂをＯＮ状態とする。
【００６６】
さらに、スイッチ制御部１９ａは、バイパス指令信号ｓ２ａとデジタルリレー異常信号ｓ３ａとのうち少なくとも一方が入力された場合にスイッチ１７ａをＯＮ状態とし、他の場合にスイッチ１７ａをＯＦＦ状態とする。
【００６７】
スイッチ９ａとスイッチ１０ａとは、電源Ｐ４ａとスイッチ制御部２０ａとの間に、直列に備えられる。
【００６８】
スイッチ９ａとスイッチ１０ａの双方がＯＮ状態となると、電源Ｐ４ａからの電流がスイッチ制御部２０ａに供給され、スイッチ制御部２０ａが動作する。
【００６９】
スイッチ制御部２０ａは、デジタルリレー１４Ａからバイパス回路１５Ａにバイパス指令信号ｓ２ａとデジタルリレー異常信号ｓ３ａとのうち少なくとも一方が出力されており、かつデジタルリレー１４Ｂからバイパス回路１５Ｂにバイパス指令信号ｓ２ｂとデジタルリレー異常信号ｓ３ｂのいずれも出力されていない場合に、スイッチ６ａをＯＮ状態とし、さらにスイッチ１８ａをＯＮ状態とする。
【００７０】
スイッチ６ａがＯＮ状態となると、デジタルリレー１４Ａがバイパスされた状態となり、電力系統の保護動作からデジタルリレー１４Ａが切り離され、デジタルリレー１４Ｂのみで保護動作が実施される。
【００７１】
ここで、デジタルリレー１４Ａからバイパス回路１５Ａにバイパス指令信号ｓ２ａとデジタルリレー異常信号ｓ３ａとのうち少なくとも一方が出力されるとともに、デジタルリレー１４Ｂからバイパス回路１５Ｂにバイパス指令信号ｓ２ｂとデジタルリレー異常信号ｓ３ｂとのうち少なくとも一方が出力されたとする。
【００７２】
この場合、バイパス回路１５Ａにおいて、スイッチ１０ａはＯＦＦ状態となり、スイッチ制御部２０ａにしたがってスイッチ６ａもＯＦＦ状態となり、バイパス回路１５Ａによるデジタルリレー１４Ａのバイパス状態が解除される。
【００７３】
また、バイパス回路１５Ｂにおいて、スイッチ１０ｂはＯＦＦ状態となり、スイッチ制御部２０ｂにしたがってスイッチ６ｂもＯＦＦ状態となり、バイパス回路１５Ｂによるデジタルリレー１４Ａのバイパス状態が解除される。
【００７４】
この結果、バイパス状態となっていたデジタルリレー１４Ａ，１４Ｂの双方は、再び電力系統の保護動作に組み込まれる。
【００７５】
スイッチ１７ａは、デジタルリレー１４Ａからバイパス回路１５Ａにバイパス指令信号ｓ２ａとデジタルリレー異常信号ｓ３ａとのうち少なくとも一方が出力された場合、ＯＮ状態となる。
【００７６】
すると、電源Ｐ４ａからの電流がスイッチ１７ａ経由でデジタルリレー１４Ａのバイパス異常検出部１６ａ及びデジタルリレー１４Ｂのバイパス異常検出部１６ｂに供給される。これにより、第１系指令受付信号ｓ４ａがバイパス回路１５Ａからデジタルリレー１４Ａのバイパス異常検出部１６ａ及びデジタルリレー１４Ｂのバイパス異常検出部１６ｂに出力された状態となる。
【００７７】
スイッチ制御部２０ａによる動作にしたがってスイッチ６ａがＯＮ状態とされ、デジタルリレー１４Ａがバイパス状態とされた場合、このスイッチ制御部２０ａによる動作にしたがってスイッチ１８ａもＯＮ状態とされる。
【００７８】
すると、電源Ｐ４ａからの電流がスイッチ１７ａ経由でデジタルリレー１４Ａのバイパス異常検出部１６ａ及びデジタルリレー１４Ｂのバイパス異常検出部１６ｂに供給される。
【００７９】
これにより、第１系バイパス状態信号ｓ５ａがバイパス回路１５Ａからデジタルリレー１４Ａのバイパス異常検出部１６ａ及びデジタルリレー１４Ｂのバイパス異常検出部１６ｂに出力された状態となる。
【００８０】
以上のようなデジタルリレー装置１３の動作の概要を説明する。
【００８１】
デジタルリレー１４Ａ，１４Ｂは、電力系統の電流Ｉ及び電圧Ｖに基づいて、電力系統の異常を検出した場合、それぞれトリップ信号ｓ１ａ，ｓ１ｂをスイッチ５Ａ，５Ｂに出力する。トリップ信号ｓ１ａ，ｓ１ｂの双方がデジタルリレー１４Ａ，１４Ｂからスイッチ５Ａ，５Ｂに出力された場合、デジタルリレー装置１３は遮断器１を遮断状態とする。
【００８２】
デジタルリレー１４Ａからバイパス回路１５Ａに、バイパス指令信号ｓ２ａとデジタルリレー異常信号ｓ３ａのうち少なくとも一方が出力された場合、バイパス回路１５Ａは、デジタルリレー１４Ａをバイパスし、デジタルリレー１４Ａを電力系統の保護動作から切り離す。その後、電力系統の保護動作は、もう一方のデジタルリレー１４Ｂによって実施される。
【００８３】
デジタルリレー１４Ｂからバイパス回路１５Ｂに、バイパス指令信号ｓ２ｂとデジタルリレー異常信号ｓ３ｂのうち少なくとも一方が出力された場合も同様に、バイパス回路１５Ｂは、デジタルリレー１４Ｂをバイパスし、デジタルリレー１４Ｂを電力系統の保護動作から切り離す。
【００８４】
デジタルリレー１４Ａからバイパス回路１５Ａにバイパス指令信号ｓ２ａとデジタルリレー異常信号ｓ３ａのうち少なくとも一方が出力され、さらにデジタルリレー１４Ｂからバイパス回路１５Ｂにバイパス指令信号ｓ２ｂとデジタルリレー異常信号ｓ３ｂのうち少なくとも一方が出力された場合、双方のバイパス回路１５Ａ，１５Ｂは動作し、デジタルリレー１４Ａ，１４Ｂを復帰させる。
【００８５】
デジタルリレー１４Ａのバイパス異常検出部１６ａは、第１系指令受付信号ｓ４ａと第１系バイパス状態信号ｓ５ａとをバイパス回路１５Ａから入力し、また、第２系指令受付信号ｓ４ｂと第２系バイパス状態信号ｓ５ｂとをバイパス回路１５Ｂから入力する。
【００８６】
そして、バイパス異常検出部１６ａは、第１系指令受付信号ｓ４ａ、第１系バイパス状態信号ｓ５ａ、第２系指令受付信号ｓ４ｂ、第２系バイパス状態信号ｓ５ｂの入力状態に基づいて、バイパス回路１５Ａ，１５Ｂの異常検出を行う。
【００８７】
同様に、デジタルリレー１４Ｂのバイパス異常検出部１６ｂも、第１系指令受付信号ｓ４ａと第１系バイパス状態信号ｓ５ａとをバイパス回路１５Ａから入力し、また、第２系指令受付信号ｓ４ｂと第２系バイパス状態信号ｓ５ｂとをバイパス回路１５Ｂから入力する。
【００８８】
そして、バイパス異常検出部１６ｂは、第１系指令受付信号ｓ４ａ、第１系バイパス状態信号ｓ５ａ、第２系指令受付信号ｓ４ｂ、第２系バイパス状態信号ｓ５ｂの入力状態に基づいて、バイパス回路１５Ａ，１５Ｂの異常検出を行う。
【００８９】
バイパス異常検出部１６ａ，１６ｂによるバイパス回路１５Ａ，１５Ｂの異常検出結果は、ディスプレイ装置により表示させてもよいし、警報音や音声により出力させてもよい。
【００９０】
図２は、バイパス異常検出部１６ａ，１６ｂにおける第１系指令受付信号ｓ４ａ、第１系バイパス状態信号ｓ５ａ、第２系指令受付信号ｓ４ｂ、第２系バイパス状態信号ｓ５ｂの入力状態と、異常検出結果との関係の一例を示す図である。
【００９１】
第１系指令受付信号ｓ４ａと第２系指令受付信号ｓ４ｂの双方が「入力あり」の場合を除き、第１系指令受付信号ｓ４ａと第１系バイパス状態信号ｓ５ａとの入力状態が整合し、第２系指令受付信号ｓ４ｂと第２系バイパス状態信号ｓ５ｂとの入力状態が整合する場合、「正常」と判断される。
【００９２】
第１系指令受付信号ｓ４ａと第２系指令受付信号ｓ４ｂの双方が「入力あり」の場合には、第１系バイパス状態信号ｓ５ａと第２系バイパス状態信号ｓ５ｂの双方が「入力なし」の場合、「正常」と判断される。
【００９３】
他の場合については「異常」と判断される。
【００９４】
図３は、デジタルリレー装置１３の一例を示す機能ブロック図である。
【００９５】
バイパス回路１５Ａは、バイパス動作部２１ａ、受付信号出力部２２ａ、状態信号出力部２３ａを具備する。
【００９６】
バイパス動作部２１ａは、デジタルリレー１４Ａからバイパス指令信号ｓ２ａとデジタルリレー異常信号ｓ３ａとのうち少なくとも一方を入力した場合、デジタルリレー１４Ａをバイパスするための動作を行う。
【００９７】
受付信号出力部２２ａは、デジタルリレー１４Ａからバイパス指令信号ｓ２ａとデジタルリレー異常信号ｓ３ａとのうち少なくとも一方を入力した場合、第１系指令受付信号ｓ４ａをバイパス異常検出部１６ａ，１６ｂに出力する。
【００９８】
状態信号出力部２３ａは、バイパス動作部２１ａによってデジタルリレー１４Ａがバイパスされた場合に、第１系バイパス状態信号ｓ５ａをバイパス異常検出部１６ａ，１６ｂに出力する。
【００９９】
バイパス回路１５Ｂは、バイパス動作部２１ｂ、受付信号出力部２２ｂ、状態信号出力部２３ｂを具備する。
【０１００】
バイパス動作部２１ｂは、デジタルリレー１４Ｂからバイパス指令信号ｓ２ｂとデジタルリレー異常信号ｓ３ｂとのうち少なくとも一方を入力した場合、デジタルリレー１４Ｂをバイパスするための動作を行う。
【０１０１】
受付信号出力部２２ｂは、デジタルリレー１４Ｂからバイパス指令信号ｓ２ｂとデジタルリレー異常信号ｓ３ｂとのうち少なくとも一方を入力した場合、第２系指令受付信号ｓ４ｂをバイパス異常検出部１６ａ，１６ｂに出力する。
【０１０２】
状態信号出力部２３ｂは、バイパス動作部２１ｂによってデジタルリレー１４Ｂがバイパスされた場合に、第２系バイパス状態信号ｓ５ｂをバイパス異常検出部１６ａ，１６ｂに出力する。
【０１０３】
以上説明した本実施の形態では、電力系統の異常検出が行われ、デジタルリレー１４Ａ，１４Ｂの異常検出が行われ、さらにバイパス回路１５Ａ，１５Ｂの異常検出が行われる。
【０１０４】
したがって、デジタルリレー装置１３による電力系統の保護の信頼性を向上させることができる。
【０１０５】
また、本実施の形態では、デジタルリレー１４Ａ，１４Ｂの内部に、それぞれバイパス異常検出部１６ａ，１６ｂが備えられるため、スペースコストを抑制でき、配線を簡素化でき、デジタルリレー装置１３を電力系統に対して導入容易とすることができる。
【０１０６】
なお、本実施の形態において、各構成要素は、同様の動作を実現可能であれば自由に変形可能であり、配置を変更させてもよく、自由に組み合わせることが可能であり、分割することも可能である。
【０１０７】
例えば、電源Ｐ２ａと電源Ｐ４ａとを組み合わせてもよく、電源Ｐ２ｂと電源Ｐ４ｂとを組み合わせてもよい。
【０１０８】
例えば、バイパス異常検出部１６ａとバイパス異常検出部１６ｂとのうちのいずれか一方を削除するとしてもよい。
【０１０９】
例えば、バイパス異常検出部１６ａ，１６ｂの機能は、ソフトウェアにより実現させるとしてもよい。
【産業上の利用可能性】
【０１１０】
本発明は、電力系統の保護機器の分野に有効である。
【図面の簡単な説明】
【０１１１】
【図１】本発明の実施の形態に係るデジタルリレー装置の一例を示す回路図。
【図２】バイパス異常検出部における第１系指令受付信号、第１系バイパス状態信号、第２系指令受付信号、第２系バイパス状態信号の入力状態と、異常検出結果との関係の一例を示す図。
【図３】同実施の形態に係るデジタルリレー装置の一例を示す機能ブロック図。
【図４】従来のデジタルリレー装置の一例を示す回路図。
【符号の説明】
【０１１２】
１…遮断器、２，１３…デジタルリレー装置、３Ａ，３Ｂ，１４Ａ，１４Ｂ…デジタルリレー、４Ａ，４Ｂ，１５Ａ，１５Ｂ…バイパス回路、５Ａ，５Ｂ，６ａ〜１０ａ，６ｂ〜１０ｂ，１７ａ，１７ｂ，１８ａ，１８ｂ…スイッチ、１１ａ，１１ｂ，１２ａ，１２ｂ，１９ａ，１９ｂ，２０ａ，２０ｂ…スイッチ制御部、１６ａ，１６ｂ…バイパス異常検出部、２１ａ，２１ｂ…バイパス動作部、２２ａ，２２ｂ…受付信号出力部、２３ａ，２３ｂ…状態信号出力部
【図１】
2006050813.tif 000003
【図２】
2006050813.tif 000004
【図３】
2006050813.tif 000005
【図４】
2006050813.tif 000006